(57)【要約】      （修正有）【課題】その日のファッションや用途などに合わせて時計の使用法を変えることのできる組換え時計を提供する。【解決手段】組替え時計１０は、時間を表示するための駆動機能と表示機能を備えた時計本体の裏面側に、バンド部材・クリップ部材・接続部材等を取り付ける一対の棒状体の取付ピンを備える。この一対の取付ピンは、時計本体を構成する時計ケースの内側に配置されていることで、時計の正面から取付ピンが見えず、デザイン性が向上する。【選択図】図１
0003188091.tif 000002
【実用新案登録請求の範囲】
【請求項１】
時間を表示するための駆動機能と表示機能を備えた時計本体の裏面側に、バンド部材・クリップ部材・接続部材等を取り付ける一対の取付ピンを備えたことを特徴とする組替え時計。
【請求項２】
一対の取付ピンは、時計本体を構成する時計ケースの内側に配置されていることを特徴とする請求項１記載の組替え時計。
【請求項３】
請求項１又は２記載の組替え時計に、バンド部材・クリップ部材・接続部材等を備えたことを特徴とする組替え時計セット。
【考案の詳細な説明】
【技術分野】
【０００１】
本願考案は、色々な使用法のできる「組換え時計」に関するものである。
【背景技術】
【０００２】
時計は時間を知るためや時間を計るために使用されることはもちろんのこと、ファッションや身だしなみのアイテムとして使用されることもある。
しかし、腕時計は腕時計、置き時計は置き時計、とその使用法は限定されていたため、その日のファッションや用途などに合わせて時計の使用法を変えることはできなかった。
【０００３】
これに対して、使用法を変えられる「組替え時計」については、特許文献１があった。
特許文献１に開示されたものは、図７に図示するように、腕時計台１０、弾力紐２０、腕時計外殻３０からなり、図８に図示するように、手の甲に掛けて使用したり（Ａ）、手首に掛けて使用したり（Ｂ）、二の腕に掛けて使用したり（Ｃ）することができる。
【先行技術文献】
【特許文献】
【０００４】
【特許文献１】実用新案登録第３０５１１５７号公報
【考案の概要】
【考案が解決しようとする課題】
【０００５】
本願考案者は、特許文献１とは全く異なる発想・方法で色々な使用法のできる従来にない「組換え時計」を提供すべく、本願考案を完成するに至った。
【課題を解決するための手段】
【０００６】
本願考案の内容は、以下の通りである。
第１の考案は、時間を表示するための駆動機能と表示機能を備えた時計本体の裏面側に、バンド部材・クリップ部材・接続部材等を取り付ける一対の取付ピンを備えたことを特徴とする組替え時計である。
第２の考案は、一対の取付ピンが、時計本体を構成する時計ケースの内側に配置されていることを特徴とする同組替え時計である。
第３の考案は、上記第１又は第２の考案に係る組替え時計に、バンド部材・クリップ部材・接続部材等を備えたことを特徴とする組替え時計セットである。
【考案の効果】
【０００７】
本願考案によれば、以下のような効果を有する。
（１）時間を表示するための駆動機能と表示機能を備えた時計本体の裏面側に、バンド部材・クリップ部材・接続部材等を取り付ける一対の取付ピンを備えたことで、時計本体にバンド部材・クリップ部材・接続部材等を取り付けて、色々な使用法のできる組替え時計を提供できる。
（２）一対の取付ピンが、時計本体を構成する時計ケースの内側に配置されていることで、時計の正面から取付ピンが見えず、デザイン性が向上する。
（３）組替え時計に、バンド部材・クリップ部材・接続部材等を備えた組替え時計セットとすることで、何人も直ちに色々な使用法のできる組替え時計を提供できる。
【図面の簡単な説明】
【０００８】
【図１】本願考案に係る組替え時計を示す説明図。
【図２】本願考案に係る組替え時計の使用状態を示す説明図（１）。
【図３】本願考案に係る組替え時計の使用状態を示す説明図（２）。
【図４】本願考案に係る組替え時計の使用状態を示す説明図（３）。
【図５】本願考案に係る組替え時計の使用状態を示す説明図（４）。
【図６】本願考案に係る組替え時計の使用状態を示す説明図（５）。
【図７】従来技術を説明する説明図（１）。
【図８】従来技術を説明する説明図（２）。
【考案を実施するための形態】
【０００９】
本願考案の実施形態を図面に基づいて説明する。
図１は、本願考案に係る組替え時計を示す説明図である。
組替え時計１０は、時間を表示するための駆動機能と表示機能を備えた時計本体の裏面側に、バンド部材・クリップ部材・接続部材等を取り付ける一対の取付ピンを備える。この一対の取付ピンは、時計本体を構成する時計ケースの内側に配置されていることで、時計の正面から取付ピンが見えず、デザイン性が向上する。
【００１０】
図２は、本願考案に係る組替え時計の使用状態を示す説明図（１）であり、組替え時計１０を腕時計タイプにしたものである。
組替え時計１０の一対の取付ピンに時計バンド２０の略Ｊ字形の連結部２１を連結させて、腕時計１１を構成する。
【００１１】
図３は、本願考案に係る組替え時計の使用状態を示す説明図（２）であり、組替え時計１０をクリップ時計タイプにしたものである。
組替え時計１０の一対の取付ピンの間にクリップ３０を嵌め込み、クリップ時計１２を構成する。
【００１２】
図４は、本願考案に係る組替え時計の使用状態を示す説明図（３）であり、組替え時計１０を置き時計タイプにしたものである。
組替え時計１０の一対の取付ピンの間にクリップ３０を図３と逆向きに嵌め込み、置き時計１３を構成する。
【００１３】
図５は、本願考案に係る組替え時計の使用状態を示す説明図（４）であり、組替え時計１０を提げ時計・バックウォッチタイプにしたものである。
組替え時計１０の上側の取付ピンに接続部材４０を取り付け、提げ時計・バックウォッチ１４を構成する。
【００１４】
図６は、本願考案に係る組替え時計の使用状態を示す説明図（５）であり、組替え時計１０を提げネックレスウォッチタイプにしたものである。
組替え時計１０の上側の取付ピンに接続部材４１を取り付け、ネックレスウォッチ１５を構成する。
【産業上の利用可能性】
【００１５】
本願考案は、その日のファッションや用途などに合わせて時計の使用法を変えることのできる「組換え時計」として、広く利用できるものである。
【符号の説明】
【００１６】
１０  組替え時計
１１  腕時計
１２  クリップ時計
１３  置き時計
１４  提げ時計・バックウォッチ
１５  ネックレスウォッチ
２０  時計バンド
２１  連結部
３０  クリップ
４０  接続部材
４１  接続部材
【図１】
0003188091.tif 000003
【図２】
0003188091.tif 000004
【図３】
0003188091.tif 000005
【図４】
0003188091.tif 000006
【図５】
0003188091.tif 000007
【図６】
0003188091.tif 000008
【図７】
0003188091.tif 000009
【図８】
0003188091.tif 000010
【手続補正書】
【提出日】平成25年10月28日(2013.10.28)
【手続補正１】
【補正対象書類名】実用新案登録請求の範囲
【補正対象項目名】全文
【補正方法】変更
【補正の内容】
【実用新案登録請求の範囲】
【請求項１】
時間を表示するための駆動機能と表示機能を備えた時計本体の裏面側の６時方向と１２時方向に、バンド部材・クリップ部材・接続部材を取り付ける一対の棒状体の取付ピンを備えたことを特徴とする組替え時計。
【請求項２】
一対の取付ピンは、時計本体を構成する時計ケースの内側に配置されていることを特徴とする請求項１記載の組替え時計。
【請求項３】
請求項１又は２記載の組替え時計に、バンド部材・クリップ部材・接続部材を備えたことを特徴とする組替え時計セット。
【手続補正２】
【補正対象書類名】明細書
【補正対象項目名】０００６
【補正方法】変更
【補正の内容】
【０００６】
本願考案の内容は、以下の通りである。
第１の考案は、時間を表示するための駆動機能と表示機能を備えた時計本体の裏面側の６時方向と１２時方向に、バンド部材・クリップ部材・接続部材を取り付ける一対の棒状体の取付ピンを備えたことを特徴とする組替え時計である。
第２の考案は、一対の取付ピンが、時計本体を構成する時計ケースの内側に配置されていることを特徴とする同組替え時計である。
第３の考案は、上記第１又は第２の考案に係る組替え時計に、バンド部材・クリップ部材・接続部材を備えたことを特徴とする組替え時計セットである。
【手続補正３】
【補正対象書類名】明細書
【補正対象項目名】０００９
【補正方法】変更
【補正の内容】
【０００９】
本願考案の実施形態を図面に基づいて説明する。
図１は、本願考案に係る組替え時計を示す説明図である。
組替え時計１０は、時間を表示するための駆動機能と表示機能を備えた時計本体の裏面側の６時方向と１２時方向に、バンド部材・クリップ部材・接続部材を取り付ける一対の棒状体の取付ピン５０を備える。この一対の取付ピン５０は、時計本体を構成する時計ケースの内側に配置されていることで、時計の正面から取付ピンが見えず、デザイン性が向上する。
【手続補正４】
【補正対象書類名】明細書
【補正対象項目名】００１６
【補正方法】変更
【補正の内容】
【００１６】
１０  組替え時計
１１  腕時計
１２  クリップ時計
１３  置き時計
１４  提げ時計・バックウォッチ
１５  ネックレスウォッチ
２０  時計バンド
２１  連結部
３０  クリップ
４０  接続部材
４１  接続部材
５０  取付ピン
【手続補正５】
【補正対象書類名】図面
【補正対象項目名】図１
【補正方法】変更
【補正の内容】
【図１】
0003188091.tif 000011